(57)【要約】      （修正有）【課題】高速道路などの防音壁に用いられる吸音板の底壁に雨水が滞留したり塵埃が付着するのを防止する道路防音壁の吸音板を提供する。【解決手段】吸音板１０の背面パネル１１に設けられた底壁１１ｂを前面パネル１２の方向に下り勾配とし、底壁１１ｂの先端に設けたリム１１ｄを前面パネル１２の下端部のＵ字状折曲げ部１２ｂが抱き込むように係止し、前記折曲げ部１２ｂの底面にスリット１２ｃを設け、前記底壁１１ｂの後端部にシュー２０を固着し、このシュー２０の底面２１の傾斜を頂壁１１ａと同じ勾配にしたのである。【選択図】図２
0003192455.tif 000002
【実用新案登録請求の範囲】
【請求項１】
底壁と頂壁を有する断面ほぼコ字状の背面パネルと、前記底壁と頂壁の先端部に固定された前面パネルと、前記背面パネルと前面パネルの間に装填された吸音材より成る吸音板において、前記底壁は前面パネル方向の下り勾配を有し、その先端に垂下するリムが形成され、前記前面パネルの下端部に形成された略Ｕ字状折曲げ部が前記リムを抱き込むように係止され、この折曲げ部の底部にスリットが設けられ、前記底壁の後端部に、段積みの際の下段の頂壁との隙間を補填するシューが固着され、このシューの底面は前記頂壁の前面パネル方向の上り勾配とほぼ同一勾配を有することを特徴とする道路防音壁の吸音板。
【請求項２】
前記シューはチャネル材より成り、このチャネル材の両側面上端が前記底壁に固着され、底面が前記頂壁と同一勾配に形成された請求項１に記載の道路防音壁の吸音板。
【考案の詳細な説明】
【技術分野】
【０００１】
この考案は、高速道路などの騒音対策として設置される防音壁を形成する吸音板に関する。
【背景技術】
【０００２】
高速道路などに設置される防音壁は、定間隔をあけて立設されたＨ形支柱の間に、ボックス型吸音板を複数段積み上げて形成される。このような段積み状態の部分拡大図を図４に示す。この吸音板は、略コ字状に折り曲げた背面パネル１に、ルーバ等の多数の空隙を設けた前面パネル２を係止し、内部に吸音材３を装填したものである（下記特許文献１参照）。図示のように、前面パネル２は、その上端庇部２ａが前記背面パネル１の頂壁１ａにリベットで固着され、前面パネル２の下端部２ｂは、背面パネル１の底壁１ｂに設けられたリム１ｃを抱き込むように折り曲げられ所謂ハゼ嵌合によって係止されている。このようなハゼ嵌合部には、その嵌合構造から分るように雨水が溜り易く、腐食の原因となる。特に背面パネル１が亜鉛メッキ鋼板によって製作され、前面パネル２がアルミニウム製である場合、滞留水が夏期の日射等で高温になると、亜鉛が溶融し電蝕が発生して破断に至ることがある。それに加えて、冬期に道路の凍結防止用に塩水が散布される地域では、塩水の滞留によって電蝕を加速している。そこで、図示のように、ハゼ嵌合部の下端にスリット２ｃを設け、排水を可能にしている。
【０００３】
しかしながら、ボックス型吸音板を段積みする必要上、背面パネル１の頂壁１ａと底壁１ｂに、後方（図の左方）に下降する傾斜が設けられている。このため底壁１ｂの後部にも雨水が滞留し易い。そこで、この底壁１ｂの後部付近に排水孔１ｄを設けることが提案されているが、雨水に含まれる粉塵Ｄなどが隅角部に付着し易く、粉塵Ｄに含まれる水分も容易に蒸発しないため、腐蝕の防止効果を減殺している。また、排水孔１ｄを多数設けたり、排水孔１ｄの径を大きくすると、ボックス型吸音板の強度を低下させると同時に吸音性能を減少させる問題が生じる。
【先行技術文献】
【特許文献】
【０００４】
【特許文献１】実用新案登録第３１８７１０１号公報
【考案の概要】
【考案が解決しようとする課題】
【０００５】
そこで、この考案の課題は、ボックス型吸音板を段積みする便宜を損うことなく、ボックス型吸音板の底壁に粉塵などが付着するのを防止することである。
【課題を解決するための手段】
【０００６】
上記の課題を解決するために、この考案は、底壁と頂壁を有する断面ほぼコ字状の背面パネルと、前記底壁と頂壁の先端部に固定された前面パネルと、前記背面パネルと前面パネルの間に装填された吸音材より成る道路防音壁の吸音板において、前記底壁は前面パネル方向の下り勾配を有し、その先端に垂下するリムが形成され、前記前面パネルの下端部に形成された略Ｕ字状折曲げ部が前記リムを抱き込むように係止され、この折曲げ部の底部にスリットが設けられ、前記底壁の後端部に、段積みの際の下段の頂壁との隙間を補填するシューが固着され、このシューの底面は前記頂壁の前面パネル方向の上り勾配とほぼ同一勾配を有することを特徴とする。
【０００７】
前記シューをチャネル材によって形成し、このチャネル材の両側面を前記底壁に固着し、底面を前記頂壁と同一勾配に形成するのが好ましい。
【考案の効果】
【０００８】
この考案によれば、以上のように、背面パネルの底壁を前面パネル方向に下り勾配とし、この底壁の先端に設けたリムを、前面パネルの下端部の略Ｕ字状折曲げ部で抱き込むように係止したので、下り勾配の底壁を流下した雨水は、リムをつたってＵ字状折曲げ部にスムーズに導入され、折曲げ部底部のスリットから流出するので、粉塵等を含む雨水が滞留することなく全て排出される。また、吸音板を段積する際に底壁の下り勾配を補填するシューを固着したので、段積みが崩れる等の支障は全く生じない。
【図面の簡単な説明】
【０００９】
【図１】この考案の吸音板を示す斜視図、
【図２】同上の縦断面図、
【図３】吸音板を段積みした状態を示す部分拡大断面図、
【図４】従来の吸音板の段積み状態を示す部分拡大断面図である。
【考案を実施するための形態】
【００１０】
以下、この考案の実施形態を図１乃至図３に基づいて説明する。図１及び図２に示すように、吸音板１０は、断面が略コ字状の背面パネル１１と、ルーバ等によって多数の空隙を設けた前面パネル１２と、内部に装填された吸音材１３と、底面に固着された断面略台形の支持シュー（ｓｈｏｅ）２０より成る。前記背面パネル１１は、平坦な頂壁１１ａと底壁１１ｂを有し、これらは前面パネル１２の方向に開く角度（鈍角）をつけて形成され、前端縁には、リム１１ｃ、１１ｄがそれぞれ設けられている。前記前面パネル１２は、上端の段差部１２ｄを介して、背面パネル１１の方向に突出する庇部１２ａを有し、この庇部１２ａは前記背面パネル１１の頂壁１１ａの傾斜に対応する角度をもって形成され、前記頂壁１１ａに重なり合せられてリベットで固着されている。また、前面パネル１２の下端部は、背面パネル１１の底壁１１ｂに設けられたリム１１ｄを抱き込むような略Ｕ字状折曲げ部１２ｂによって所謂ハゼ嵌合している。このハゼ嵌合部の底部（折曲げコーナ）を貫通する排水用スリット１２ｃが所定間隔で複数設けられている。
【００１１】
前記背面パネル１１の底壁１１ｂには、底壁１１ｂの長さ方向全長に延びる支持シュー２０が固着されている。このシュー２０は、前面パネル１２の方向に下降するように形成した底壁１１ｂの支持機能を補填するために設けられたものである。即ち、図３に示すように、吸音板１０を段積みする場合、上段の吸音板１０の底壁１１ｂと下段の吸音板１０の頂壁１１ａとの間に、３角形状の隙間が形成され、上段の吸音板１０の荷重を受けることができない。そこで、前記隙間を充填することができる形状及びサイズを有するシュー２０を底壁１１ｂの後端部外面に固着したのである。このシュー２０は、チャネル形状の鋼板によって形成され、外側面２２は背面パネル１１と同一面をなし、底面２１は背面パネル１１の頂壁１１ａに当接する傾斜即ち同一勾配を有し、内側面２３は底面２１からの荷重を支持するのに適当な角度で底壁１１ｂまで延びてリベット２５ａで固着されている。なお外側面２２も同様にリベット２５ｂで底壁１１ｂに固着されている。このシュー２０の内側面２３と底壁１１ｂ及び頂壁１１ａによって形成されるスペース２４（図３）は、吸音板１０を段積みしたり、取り外す際の工具や手指の作業用スペースとして役立つことがある。
【００１２】
上述のように、背面パネル１１に設けた底壁１１ｂが前面パネル１２の方向に下り勾配になっており、底壁１１ｂ先端のリム１１ｄにハゼ嵌合した前面パネル１２のＵ字状折曲げ部１２ｂには、スリット１２ｃが形成されているので、雨水やそれに含まれる粉塵等はスムーズに底壁１１ｂを流下し、先端のリム１１ｄをつたってＵ字状折曲げ部１２ｂに導入されスリット１２ｃから排出される。また、底壁１１ｂ先端のリム１１ｄはほぼ垂直に垂下しており、このリム１１ｄを抱き込んで係止する前面パネル１２の下端部のＵ字状折曲げ部１２ｂ（ハゼ嵌合部）は、段積みの際に、下段に設置される吸音板１０の前面パネル１２の上端部に設けられた段差部１２ｄに当接し、シュー２０の底面２１は、下段の背面パネル１１の頂壁１１ａの後端部（背面パネル１１の上端コーナ部上面）に当接して、ハゼ嵌合部による吸音板１０の左方（図３）への移動が阻止されると同時に、頂壁１１ａとシュー２０の下面２１の圧接（吸音板１０の荷重による）によって吸音板１０の右方（図３）への移動も阻止される。
【００１３】
なお、この考案は、吸音板１０の厚さがＨ型鋼支柱のフランジ幅内に納まる狭幅タイプのものに限らず、背面パネル１１がフランジの外面を被うようなワイドタイプの吸音板１０にも適用することができるのは言うまでもない。
【符号の説明】
【００１４】
１  背面パネル
１ａ  頂壁
１ｂ  底壁
１ｃ  リム
１ｄ  排水孔
２  前面パネル
２ａ  庇部
２ｂ  下端部
２ｃ  スリット
３  吸音材
１０  吸音板
１１  背面パネル
１１ａ  頂壁
１１ｂ  底壁
１１ｃ、１１ｄ  リム
１２  前面パネル
１２ａ  庇部
１２ｂ  Ｕ字状折曲げ部
１２ｃ  スリット
１２ｄ  段差部
１３  吸音材
２０  シュー
２１  底面
２２  外側面
２３  内側面
２４  スペース
２５ａ、２５ｂ  リベット
【図１】
0003192455.tif 000003
【図２】
0003192455.tif 000004
【図３】
0003192455.tif 000005
【図４】
0003192455.tif 000006